(57)【要約】  【課題】使用中においてユーザの身体に適度な緊張を与えて、すなわちストレッチ効果を与えてユーザの背筋を伸ばすことができる健康クッションを提供すること。    【解決手段】健康クッションをユーザが使用する場合、敷寝具である敷布団３１の背中の位置に健康クッション３２を置く。このとき、健康クッション３２の厚さが厚い部分を頭側にくるように置く。このような敷布団３１にユーザ３３が寝ると、健康クッション３２の突出部がユーザ３３の脊髄あるいは大腿骨を押圧する。これにより、健康クッション３２の突出部より頭側において健康クッション３２とユーザ３３との間に空間部３５,３６が形成される。このため、その空間３５,３６のために、ユーザの身体に適度な緊張を与えて、ユーザ３３の背筋や脚部が伸びて、ストレッチ効果が発揮される。その結果、ユーザ３３は背筋を痛めることがなくなり、楽に起き上がることができる。【選択図】図３
2005334324.tif 000002
【特許請求の範囲】
【請求項１】
ユーザの背に当接するように敷寝具上に置かれる健康クッションであって、前記健康クッションは、平板状のクッション本体と、前記クッション本体の中心から偏心した位置に設けられ、前記ユーザの脊髄あるいは大腿骨を押圧し得る突出部と、を有することを特徴とする健康クッション。
【請求項２】
前記クッション本体は、ベースと、前記ベース上の前記突出部の位置に配置された略半円状のプロテクタと、前記ベース及び前記プロテクタ上を覆うように設けられたマット材と、から構成されていることを特徴とする請求項１記載の健康クッション。
【請求項３】
ユーザの背に当接するように椅子の背もたれに置かれる健康クッションであって、前記健康クッションは、前記ユーザの肩幅より短い短径部を備えた略Ｔ字形状を有する平板状のクッション本体と、前記クッション本体の略Ｔ字形状に沿って略Ｔ字形状に設けられ、前記ユーザの脊髄あるいは大腿骨を押圧し得る突出部と、を有することを特徴とする健康クッション。
【請求項４】
前記クッション本体は、ベースと、前記ベース上の前記突出部の位置に配置された略半円状のプロテクタと、前記プロテクタを覆うように前記ベース上に設けられたマット材と、から構成されていることを特徴とする請求項３記載の健康クッション。
【請求項５】
前記マット材上に不織布からなる厚さ調整材が設けられていることを特徴とする請求項１から請求項４のいずれか一項記載の健康クッション。
【請求項６】
前記プロテクタと前記マット材との間にフィルタ材が介在されていることを特徴とする請求項１から請求項５のいずれか一項記載の健康クッション。
【発明の詳細な説明】
【技術分野】
【０００１】
本発明は健康クッションに関し、特に寝具や椅子に配置して使用する健康クッションに関する。
【背景技術】
【０００２】
従来より、ユーザの身体にフィットする材料で構成された寝具が普及している。このような寝具は通常、低反発材料で構成されており、ユーザの身体に隙間なくフィットして身体への負担を少なくしようとするものである。
【発明の開示】
【発明が解決しようとする課題】
【０００３】
しかしながら、従来の寝具はユーザの身体に隙間なくフィットする、すなわちユーザの身体の形状に合わせて適合するように変形するので、ユーザの背筋に緊張を与えたり、ユーザの背筋や脚部を伸ばしたりさせるものではない。このため、このような寝具を用いて就寝すると、背中や腰を痛めているようなユーザでは、逆に寝た後に起き上がれなくなってしまうことも度々ある。
【０００４】
本発明はかかる点に鑑みてなされたものであり、使用中においてユーザの身体に適度な緊張を与える、また、ストレッチ効果を与えてユーザの背筋や脚部を伸ばし、従来からある寝具の逆効果を身体へ与えることができる健康クッションを提供することを目的とする。  
【課題を解決するための手段】
【０００５】
本発明の健康クッションは、ユーザの背に当接するように敷寝具上に置かれる健康クッションであって、前記健康クッションは、平板状のクッション本体と、前記クッション本体の中心から偏心した位置に設けられ、前記ユーザの脊髄あるいは大腿骨、特に仙骨部分（腎）を押圧し得る突出部と、を有することを特徴とする。
【０００６】
本発明の健康クッションにおいては、前記クッション本体は、ベースと、前記ベース上の前記突出部の位置に配置された略半円状のプロテクタと、前記ベース及び前記プロテクタ上を覆うように設けられたマット材と、から構成されていることが好ましい。
【０００７】
本発明の健康クッションは、ユーザの背に当接するように椅子の背もたれに置かれる健康クッションであって、前記健康クッションは、前記ユーザの肩幅より短い短径部を備えた略Ｔ字形状を有する平板状のクッション本体と、前記クッション本体の略Ｔ字形状に沿って略Ｔ字形状に設けられ、前記ユーザの脊髄あるいは大腿骨、特に仙骨部分（腎）を押圧し得る突出部と、を有することを特徴とする。
【０００８】
本発明の健康クッションにおいては、前記クッション本体は、ベースと、前記ベース上の前記突出部の位置に配置された略半円状のプロテクタと、前記プロテクタを覆うように前記ベース上に設けられたマット材と、から構成されていることが好ましい。
【０００９】
本発明の健康クッションにおいては、前記マット材上に不織布からなる厚さ調整材が設けられていることが好ましい。
【００１０】
本発明の健康クッションにおいては、前記プロテクタと前記マット材との間にフィルタ材が介在されていることが好ましい。
【発明の効果】
【００１１】
請求項１に記載された発明によれば、健康クッションを置いた敷寝具にユーザが寝ると、健康クッションの突出部がユーザの脊髄あるいは大腿骨、脊髄のうち特に仙骨（腎）を押圧する。これにより、ユーザの脊髄あるいは大腿骨に適度な緊張を与える、また、ユーザの身体が弓形状に湾曲して、健康クッションとユーザとの間に空間が形成される。このため、ユーザの背筋や脚部が伸びて、ストレッチ効果が発揮される。
【００１２】
請求項２乃至４に記載された発明によれば、健康クッションを置いた椅子にユーザが座ってもたれかかると、健康クッションの突出部がユーザの脊髄あるいは大腿骨、脊髄のうち特に仙骨（腎）を押圧する。このとき、健康クッションの突出部のために、ユーザの身体に適度な緊張を与えて、ユーザの背筋が伸びて、ストレッチ効果が発揮される。また、突出部により、突出部を支点としてユーザが両肩を開いて、胸を開くようにすることができる。これにより、ストレッチ効果を発揮することができ、ユーザの身体をリラックスさせることが可能となる。
【００１３】
請求項５に記載された発明によれば、ユーザの脊髄あるいは大腿骨を押圧し得る突出部を備えているので、使用中においてユーザの身体に適度な緊張を与えて、すなわちストレッチ効果を与えてユーザの背筋を伸ばすことができる。
【発明の実施の形態】
【００１４】
以下、本発明の実施の形態について、添付図面を参照して詳細に説明する。
（実施の形態１）
本実施の形態では、敷寝具上に置かれる健康クッションについて説明する。図１は、本発明の実施の形態１に係る健康クッションを示す概略斜視図である。また、図２は、図１に示す健康クッションの断面を示す図である。
【００１５】
本実施の形態に係る健康クッション１は、一対の長辺及び一対の短辺を有する平板状のクッション本体１１を有する。このクッション本体１１は、対向する一対の長辺の一方の長辺側から他方の長辺側に向かって厚さが厚くなるように、図１においては、紙面奥側から手前側に向かって厚さが厚くなるようになっている。なお、厚さ変化の割合については特に制限されない。また、クッション本体１１の大きさは、特に制限はないが、長辺が約４００ｍｍ〜約５００ｍｍ、短辺が約２００ｍｍから３００ｍｍ程度が適当である。
【００１６】
クッション本体１１の中心から偏心した位置には、クッション本体１１の長手方向に沿って突出部１２が設けられている。突出部１２の位置は、中心から偏心していれば良く、どの程度偏心するかについては特に制限はないが、短辺が約２３０ｍｍである場合に、一方の長辺の端部から突出部１２の中心までの距離が約１３０ｍｍで、他方の長辺の端部から突出部１２の中心までの距離が約１００ｍｍが適当である。この突出部１２は、ユーザが使用する際にユーザの脊髄あるいは大腿骨、脊髄のうち特に仙骨（腎）を押圧するために設けられている。
【００１７】
この健康クッション１は、図２に示すような構成を有する。図中２１はベースを示す。このベース２１は、例えばベニヤ板のような剛性のある材料で構成されている。ベース２１の厚さは、健康クッション１としての剛性を維持できる厚さであれば特に限定されないが、約５ｍｍ程度が適当である。
【００１８】
ベース２１上には、突出部１２を構成するプロテクタ２２が設けられている。このプロテクタ２２は中空の略半円状を有する。もちろん、中空に形成されるのは、健康クッション１の軽量化を図るためであって、必ずしも中空である必要はない。プロテクタ２２の材料としては、ユーザが使用したときに、すなわち就寝（昼寝や小休止を含む）の際にユーザの背筋を伸ばす、ストレッチ効果が発揮されるような硬さと耐久性を有するものであれば、その材料に特に限定はないが、例えば、プラスチックなどの合成樹脂、ステンレスなどの金属を用いることができる。プロテクタ２２の高さについても、ユーザが使用したときにユーザの背筋を伸ばす、ストレッチ効果が発揮されるようなものであれば特に制限はないが、約１５ｍｍ程度が適当である。
【００１９】
ベース２１及びプロテクタ２２上には、それらを覆うようにマット２４が設けられている。マット２４の材料としては、突出部２２が適度にユーザの脊髄あるいは大腿骨、脊髄のうち特に仙骨（腎）を押圧することができるようなものが使用される。マット２４の材料としては、低反発材料、例えば、スポンジ、ウレタン材などを用いることができる。このマット２４の厚さは、特に制限はないが、約４０ｍｍが適当である。なお、マット２４は衛生上の理由より、抗菌材料、抗臭材料であることが好ましい。
【００２０】
マット２４上には、ユーザの身体のサイズに応じ、健康マット１の高さを調整するための調整マット２５が取り付けられている。調整マット２５の材料としては、通気性が良い材料、例えば、不織布などを用いることができる。調整マット２５は、厚さ約５ｍｍ程度の薄手の不織布が適当であるから、ユーザの身体の大きさや健康クッション１による押圧の強さを調整するためには、必要に応じた枚数をマット２４上に重ね合わせる。また、調整マット２５に不織布を用いることにより、保温効果を発揮することもできる。
【００２１】
マット２４は、必要に応じ調整マット２５を重ね合わせた状態で、カバー２３により覆われる。マット２４へのカバー２３の取り付け方は、例えば、通常の枕カバー同様にゴム紐を使用しても良く、マジックテープなどを使用しても良い。調整マット２５は、カバー２３によりマット２４に固定され、またマット２４の汚れも防止できる。
【００２２】
このような構成を有する健康クッション１をユーザが使用する場合、例えば図３に示すようになる。敷寝具である敷布団３１の背中の位置に健康クッション１を置く。このとき、健康クッション１の厚さが厚い部分を頭側にくるように置く。このような敷布団３１にユーザ３３が寝ると、健康クッション３２の突出部１２がユーザ３３の脊髄あるいは大腿骨、脊髄のうち特に仙骨（腎）を押圧する。これにより、ユーザ３３の脊髄あるいは大腿骨に適度な緊張を与える、また、ユーザ３３の身体が側面方向で弓形状に湾曲する。
【００２３】
したがって、健康クッション１とユーザとの間に頭側には空間部３５、脚側には空間部３６がそれぞれ形成される。このため、ユーザ３３の背筋や脚部が伸びて、ストレッチ効果が発揮される。よって、背中や腰を痛めているようなユーザ３３でも、寝た後に起き上がれなくなってしまうようなことがない。なお、図３において参照符号３４は枕を示す。また、敷寝具としては、敷布団以外にマットレスなどが挙げられる。
【００２４】
（実施の形態２）
本実施の形態では、ユーザの背に当接するように椅子の背もたれに置かれる健康クッションについて説明する。図４は、本発明の実施の形態２に係る健康クッションを示す平面図である。また、図５は、図４のＶ−Ｖ線に沿う健康クッションの断面を示す図である。
【００２５】
本実施の形態に係る健康クッション４は、略逆Ｔ字形状を有する平板状のクッション本体４１を有する。このクッション本体４１は、ユーザの肩幅より短い短径部４１ａと、短径部４１ａよりも幅が広い長径部４１ｂとを有する。クッション本体４１に短径部４１ａを設けることにより、ユーザが背もたれをしたときに、後述する短径部４１ａの両側の空間に両肩を出すことによって、ユーザは胸を開くことができる。したがって、短径部４１ａの幅には特に限定はないが、ユーザが使用したときに、その両側の空間にユーザの両肩を出すことができるような寸法に設定することが好ましい。
【００２６】
クッション本体４１の中央部には、その形状に沿って略逆Ｔ字形状の突出部４２ａ，４２ｂが設けられている。この突出部４２ａ、４２ｂは、ユーザの脊髄あるいは大腿骨、特に仙骨（腎部）を押圧し、ユーザがさらに両肩を後方にしならせ、より胸を開くようにするために設けられている。この突出部４２ａ，４２ｂの周りには、後述するマット５２をクッション本体４１に確実に固定するため固定部材である鋲４３が取り付けられている。また、この鋲４３により、マット５２に凹凸が形成される。
【００２７】
この健康クッション４は、図５に示すような構成を有する。図中５１はベースを示す。このベース５１は、例えば、ベニヤ板のような剛性のある材料で構成されている。ベース５１の厚さは、健康クッション４としての剛性を維持できる厚さであれば特に限定されないが、約５ｍｍ程度が適当である。
【００２８】
ベース５１上には、突出部４２ａ，４２ｂを構成するプロテクタ５５ａ，５５ｂが設けられている。このプロテクタ中空の略半円状を有するが、必ずしも中空である必要はない。プロテクタ５５ａ，５５ｂの材料としては、ストレッチ効果が発揮されるような硬さを有するもの、例えば、プラスチックなどの合成樹脂、ステンレスなどの金属を用いることができる。また、プロテクタ５５ａ，５５ｂの高さは、ユーザが使用したときにユーザの背筋を伸ばす、ストレッチ効果が発揮されるような高さであれば特に制限はないが、約１８ｍｍ程度が適当である。そして、突出部４２ｂの高さは、後述するユーザが胸を開きつつ効果的に背筋を伸ばさなければならない点を考慮すると、突出部４２ａの高さよりもやや高いことが好ましい。
【００２９】
ベース５１及びプロテクタ５５ａ，５５ｂ上には、マット５２が設けられている。このマット５２は、ベース５１及びプロテクタ５５ａ，５５ｂの上を覆うように設けられる。このマット５２の材料としては低反発材料、例えば、スポンジ、ウレタン材などを用いることができる。特に、防菌及び抗菌効果のある材料が好ましい。マット５２の厚さは、特に制限はないが、約５０ｍｍが適当である。なお、マット５２は衛生上の理由より、抗菌材料、抗臭材料であることが好ましい。
【００３０】
マット５２上には、健康マット４の高さを調整するための調整マット５３，５４が取り付けられる。この調整マット５３，５４は、必要に応じて取り付けられる。この調整マット５３，５４の材料としては、通気性が良い材料、例えば、不織布などを用いることができる。調整マット５３，５４は、特に厚さ約５ｍｍ程度の薄手の不織布が適当であるから、ユーザの身体の大きさや健康クッション４による押圧の強さを調整するため、必要に応じた枚数をマット５２上に重ね合わせる。また、調整マット５３，５４に不織布を用いることにより、保温効果を発揮することもできる。
【００３１】
マット５２は、必要に応じ調整マット５３，５４を重ね合わせた状態で、カバー５６により覆われる。マット５２へのカバー５６の取り付け方は、例えば、通常の枕カバー同様にゴム紐を使用しても良く、マジックテープなどを使用しても良い。調整マット５３，５４は、カバー５６によりマット５２に固定され、またマット５２の汚れも防止できる。
【００３２】
このような構成を有する健康クッション４をユーザが使用する場合、椅子の背中の位置に健康クッション４を置く。このとき、健康クッション４の短径部４１ａが上に位置するように置く。このような椅子にユーザがもたれかかると、健康クッション４の突出部４２ａ,４２ｂがユーザの脊髄あるいは大腿骨、脊髄のうち特に仙骨（腎）を押圧する。健康クッション４の突出部４２ａ，４２ｂのために、ユーザの身体に適度な緊張を与えて、ユーザの背筋及び脚部が伸びて、ストレッチ効果が発揮される。
【００３３】
また、健康クッション４は、図６に示すように、突出部４２ａを支点として両肩６４が後方にしなるようにユーザ６３を押圧する。ユーザ６３の左右の両肩には空間部６５,６６がそれぞれ形成されてストレッチ効果が発揮される。すなわち、ユーザ６３は身体が弓形状に湾曲して胸が開く状態になり、身体をリラックスさせることが可能となる。
【００３４】
本発明は上記実施の形態１，２に限定されず、種々変更して実施することが可能である。例えば、上記実施の形態１，２で挙げた数値や材料は一例であり、その機能を発揮することができる範囲で種々変更することができる。
【図面の簡単な説明】
【００３５】
【図１】本発明の実施の形態１に係る健康クッションを示す概略斜視図である。
【図２】図１に示す健康クッションの断面を示す図である。
【図３】本発明の実施の形態１に係る健康クッションを用いた場合を示す図である。
【図４】本発明の実施の形態２に係る健康クッションを示す平面図である。
【図５】図４のＶ−Ｖ線に沿う健康クッションの断面を示す図である。
【図６】本発明の実施の形態２に係る健康クッションを用いた場合を示す図である。
【符号の説明】
【００３６】
１，４，３２  健康クッション
１１，４１  クッション本体
１２，４２ａ，４２ｂ  突出部
２１，５１  ベース
２２，５５ａ，５５ｂ  プロテクタ
２３，５６  カバー
２４，５２  マット
２５，５３，５４  調整マット
３１  敷布団
３３，６３  ユーザ
３４  枕
３５，３６,  ６５,６６空間部
４１ａ  短径部
４１ｂ  長径部
４３  鋲
６４  両肩
【図１】
2005334324.tif 000003
【図２】
2005334324.tif 000004
【図３】
2005334324.tif 000005
【図４】
2005334324.tif 000006
【図５】
2005334324.tif 000007
【図６】
2005334324.tif 000008
【手続補正書】
【提出日】平成17年7月15日(2005.7.15)
【手続補正１】
【補正対象書類名】明細書
【補正対象項目名】全文
【補正方法】変更
【補正の内容】
【発明の詳細な説明】
【技術分野】
【０００１】
本発明は健康クッションに関し、特に寝具や椅子に配置して使用する健康クッションに関する。
【背景技術】
【０００２】
従来より、ユーザの身体にフィットする材料で構成された寝具が普及している。このような寝具は通常、低反発材料で構成されており、ユーザの身体に隙間なくフィットして身体への負担を少なくしようとするものである。
【発明の開示】
【発明が解決しようとする課題】
【０００３】
しかしながら、従来の寝具はユーザの身体に隙間なくフィットする、すなわちユーザの身体の形状に合わせて適合するように変形するので、ユーザの背筋に緊張を与えたり、ユーザの背筋や脚部を伸ばしたりさせるものではない。このため、このような寝具を用いて就寝すると、背中や腰を痛めているようなユーザでは、逆に寝た後に起き上がれなくなってしまうことも度々ある。
【０００４】
本発明はかかる点に鑑みてなされたものであり、使用中においてユーザの身体に適度な緊張を与える、また、ストレッチ効果を与えてユーザの背筋や脚部を伸ばし、従来からある寝具の逆効果を身体へ与えることができる健康クッションを提供することを目的とする。
【課題を解決するための手段】
【０００５】
本発明の健康クッションは、ユーザの背に当接するように敷寝具上に置かれる健康クッションであって、前記健康クッションは、平板状のクッション本体と、前記クッション本体の中心から偏心した位置に設けられ、前記ユーザの脊髄あるいは大腿骨、特に仙骨部分（臀）を押圧し得る突出部と、を有することを特徴とする。
【０００６】
本発明の健康クッションにおいては、前記クッション本体は、ベースと、前記ベース上の前記突出部の位置に配置された略半円状のプロテクタと、前記ベース及び前記プロテクタ上を覆うように設けられたマット材と、から構成されていることが好ましい。
【０００７】
本発明の健康クッションは、ユーザの背に当接するように椅子の背もたれに置かれる健康クッションであって、前記健康クッションは、前記ユーザの肩幅より短い短径部を備えた略Ｔ字形状を有する平板状のクッション本体と、前記クッション本体の略Ｔ字形状に沿って略Ｔ字形状に設けられ、前記ユーザの脊髄あるいは大腿骨、特に仙骨部分（臀）を押圧し得る突出部と、を有することを特徴とする。
【０００８】
本発明の健康クッションにおいては、前記クッション本体は、ベースと、前記ベース上の前記突出部の位置に配置された略半円状のプロテクタと、前記プロテクタを覆うように前記ベース上に設けられたマット材と、から構成されていることが好ましい。
【０００９】
本発明の健康クッションにおいては、前記マット材上に不織布からなる厚さ調整材が設けられていることが好ましい。
【００１０】
本発明の健康クッションにおいては、前記プロテクタと前記マット材との間にフィルタ材が介在されていることが好ましい。
【発明の効果】
【００１１】
請求項１に記載された発明によれば、健康クッションを置いた敷寝具にユーザが寝ると、健康クッションの突出部がユーザの脊髄あるいは大腿骨、脊髄のうち特に仙骨（臀）を押圧する。これにより、ユーザの脊髄あるいは大腿骨に適度な緊張を与える、また、ユーザの身体が弓形状に湾曲して、健康クッションとユーザとの間に空間が形成される。このため、ユーザの背筋や脚部が伸びて、ストレッチ効果が発揮される。
【００１２】
請求項２乃至４に記載された発明によれば、健康クッションを置いた椅子にユーザが座ってもたれかかると、健康クッションの突出部がユーザの脊髄あるいは大腿骨、脊髄のうち特に仙骨（臀）を押圧する。このとき、健康クッションの突出部のために、ユーザの身体に適度な緊張を与えて、ユーザの背筋が伸びて、ストレッチ効果が発揮される。また、突出部により、突出部を支点としてユーザが両肩を開いて、胸を開くようにすることができる。これにより、ストレッチ効果を発揮することができ、ユーザの身体をリラックスさせることが可能となる。
【００１３】
請求項５に記載された発明によれば、ユーザの脊髄あるいは大腿骨を押圧し得る突出部を備えているので、使用中においてユーザの身体に適度な緊張を与えて、すなわちストレッチ効果を与えてユーザの背筋を伸ばすことができる。
【発明の実施の形態】
【００１４】
以下、本発明の実施の形態について、添付図面を参照して詳細に説明する。
（実施の形態１）
本実施の形態では、敷寝具上に置かれる健康クッションについて説明する。図１は、本発明の実施の形態１に係る健康クッションを示す概略斜視図である。また、図２は、図１に示す健康クッションの断面を示す図である。
【００１５】
本実施の形態に係る健康クッション１は、一対の長辺及び一対の短辺を有する平板状のクッション本体１１を有する。このクッション本体１１は、対向する一対の長辺の一方の長辺側から他方の長辺側に向かって厚さが厚くなるように、図１においては、紙面奥側から手前側に向かって厚さが厚くなるようになっている。なお、厚さ変化の割合については特に制限されない。また、クッション本体１１の大きさは、特に制限はないが、長辺が約４００ｍｍ〜約５００ｍｍ、短辺が約２００ｍｍから３００ｍｍ程度が適当である。
【００１６】
クッション本体１１の中心から偏心した位置には、クッション本体１１の長手方向に沿って突出部１２が設けられている。突出部１２の位置は、中心から偏心していれば良く、どの程度偏心するかについては特に制限はないが、短辺が約２３０ｍｍである場合に、一方の長辺の端部から突出部１２の中心までの距離が約１３０ｍｍで、他方の長辺の端部から突出部１２の中心までの距離が約１００ｍｍが適当である。この突出部１２は、ユーザが使用する際にユーザの脊髄あるいは大腿骨、脊髄のうち特に仙骨（臀）を押圧するために設けられている。
【００１７】
この健康クッション１は、図２に示すような構成を有する。図中２１はベースを示す。このベース２１は、例えばベニヤ板のような剛性のある材料で構成されている。ベース２１の厚さは、健康クッション１としての剛性を維持できる厚さであれば特に限定されないが、約５ｍｍ程度が適当である。
【００１８】
ベース２１上には、突出部１２を構成するプロテクタ２２が設けられている。このプロテクタ２２は中空の略半円状を有する。もちろん、中空に形成されるのは、健康クッション１の軽量化を図るためであって、必ずしも中空である必要はない。プロテクタ２２の材料としては、ユーザが使用したときに、すなわち就寝（昼寝や小休止を含む）の際にユーザの背筋を伸ばす、ストレッチ効果が発揮されるような硬さと耐久性を有するものであれば、その材料に特に限定はないが、例えば、プラスチックなどの合成樹脂、ステンレスなどの金属を用いることができる。プロテクタ２２の高さについても、ユーザが使用したときにユーザの背筋を伸ばす、ストレッチ効果が発揮されるようなものであれば特に制限はないが、約１５ｍｍ程度が適当である。
【００１９】
ベース２１及びプロテクタ２２上には、それらを覆うようにマット２４が設けられている。マット２４の材料としては、突出部２２が適度にユーザの脊髄あるいは大腿骨、脊髄のうち特に仙骨（臀）を押圧することができるようなものが使用される。マット２４の材料としては、低反発材料、例えば、スポンジ、ウレタン材などを用いることができる。このマット２４の厚さは、特に制限はないが、約４０ｍｍが適当である。なお、マット２４は衛生上の理由より、抗菌材料、抗臭材料であることが好ましい。
【００２０】
マット２４上には、ユーザの身体のサイズに応じ、健康マット１の高さを調整するための調整マット２５が取り付けられている。調整マット２５の材料としては、通気性が良い材料、例えば、不織布などを用いることができる。調整マット２５は、厚さ約５ｍｍ程度の薄手の不織布が適当であるから、ユーザの身体の大きさや健康クッション１による押圧の強さを調整するためには、必要に応じた枚数をマット２４上に重ね合わせる。また、調整マット２５に不織布を用いることにより、保温効果を発揮することもできる。
【００２１】
マット２４は、必要に応じ調整マット２５を重ね合わせた状態で、カバー２３により覆われる。マット２４へのカバー２３の取り付け方は、例えば、通常の枕カバー同様にゴム紐を使用しても良く、マジックテープなどを使用しても良い。調整マット２５は、カバー２３によりマット２４に固定され、またマット２４の汚れも防止できる。
【００２２】
このような構成を有する健康クッション１をユーザが使用する場合、例えば図３に示すようになる。敷寝具である敷布団３１の背中の位置に健康クッション１を置く。このとき、健康クッション１の厚さが厚い部分を頭側にくるように置く。このような敷布団３１にユーザ３３が寝ると、健康クッション３２の突出部１２がユーザ３３の脊髄あるいは大腿骨、脊髄のうち特に仙骨（臀）を押圧する。これにより、ユーザ３３の脊髄あるいは大腿骨に適度な緊張を与える、また、ユーザ３３の身体が側面方向で弓形状に湾曲する。
【００２３】
したがって、健康クッション１とユーザとの間に頭側には空間部３５、脚側には空間部３６がそれぞれ形成される。このため、ユーザ３３の背筋や脚部が伸びて、ストレッチ効果が発揮される。よって、背中や腰を痛めているようなユーザ３３でも、寝た後に起き上がれなくなってしまうようなことがない。なお、図３において参照符号３４は枕を示す。また、敷寝具としては、敷布団以外にマットレスなどが挙げられる。
【００２４】
（実施の形態２）
本実施の形態では、ユーザの背に当接するように椅子の背もたれに置かれる健康クッションについて説明する。図４は、本発明の実施の形態２に係る健康クッションを示す平面図である。また、図５は、図４のＶ−Ｖ線に沿う健康クッションの断面を示す図である。
【００２５】
本実施の形態に係る健康クッション４は、略逆Ｔ字形状を有する平板状のクッション本体４１を有する。このクッション本体４１は、ユーザの肩幅より短い短径部４１ａと、短径部４１ａよりも幅が広い長径部４１ｂとを有する。クッション本体４１に短径部４１ａを設けることにより、ユーザが背もたれをしたときに、後述する短径部４１ａの両側の空間に両肩を出すことによって、ユーザは胸を開くことができる。したがって、短径部４１ａの幅には特に限定はないが、ユーザが使用したときに、その両側の空間にユーザの両肩を出すことができるような寸法に設定することが好ましい。
【００２６】
クッション本体４１の中央部には、その形状に沿って略逆Ｔ字形状の突出部４２ａ，４２ｂが設けられている。この突出部４２ａ、４２ｂは、ユーザの脊髄あるいは大腿骨、特に仙骨（臀）を押圧し、ユーザがさらに両肩を後方にしならせ、より胸を開くようにするために設けられている。この突出部４２ａ，４２ｂの周りには、後述するマット５２をクッション本体４１に確実に固定するため固定部材である鋲４３が取り付けられている。また、この鋲４３により、マット５２に凹凸が形成される。
【００２７】
この健康クッション４は、図５に示すような構成を有する。図中５１はベースを示す。このベース５１は、例えば、ベニヤ板のような剛性のある材料で構成されている。ベース５１の厚さは、健康クッション４としての剛性を維持できる厚さであれば特に限定されないが、約５ｍｍ程度が適当である。
【００２８】
ベース５１上には、突出部４２ａ，４２ｂを構成するプロテクタ５５ａ，５５ｂが設けられている。このプロテクタ中空の略半円状を有するが、必ずしも中空である必要はない。プロテクタ５５ａ，５５ｂの材料としては、ストレッチ効果が発揮されるような硬さを有するもの、例えば、プラスチックなどの合成樹脂、ステンレスなどの金属を用いることができる。また、プロテクタ５５ａ，５５ｂの高さは、ユーザが使用したときにユーザの背筋を伸ばす、ストレッチ効果が発揮されるような高さであれば特に制限はないが、約１８ｍｍ程度が適当である。そして、突出部４２ｂの高さは、後述するユーザが胸を開きつつ効果的に背筋を伸ばさなければならない点を考慮すると、突出部４２ａの高さよりもやや高いことが好ましい。
【００２９】
ベース５１及びプロテクタ５５ａ，５５ｂ上には、マット５２が設けられている。このマット５２は、ベース５１及びプロテクタ５５ａ，５５ｂの上を覆うように設けられる。このマット５２の材料としては低反発材料、例えば、スポンジ、ウレタン材などを用いることができる。特に、防菌及び抗菌効果のある材料が好ましい。マット５２の厚さは、特に制限はないが、約５０ｍｍが適当である。なお、マット５２は衛生上の理由より、抗菌材料、抗臭材料であることが好ましい。
【００３０】
マット５２上には、健康マット４の高さを調整するための調整マット５３，５４が取り付けられる。この調整マット５３，５４は、必要に応じて取り付けられる。この調整マット５３，５４の材料としては、通気性が良い材料、例えば、不織布などを用いることができる。調整マット５３，５４は、特に厚さ約５ｍｍ程度の薄手の不織布が適当であるから、ユーザの身体の大きさや健康クッション４による押圧の強さを調整するため、必要に応じた枚数をマット５２上に重ね合わせる。また、調整マット５３，５４に不織布を用いることにより、保温効果を発揮することもできる。
【００３１】
マット５２は、必要に応じ調整マット５３，５４を重ね合わせた状態で、カバー５６により覆われる。マット５２へのカバー５６の取り付け方は、例えば、通常の枕カバー同様にゴム紐を使用しても良く、マジックテープなどを使用しても良い。調整マット５３，５４は、カバー５６によりマット５２に固定され、またマット５２の汚れも防止できる。
【００３２】
このような構成を有する健康クッション４をユーザが使用する場合、椅子の背中の位置に健康クッション４を置く。このとき、健康クッション４の短径部４１ａが上に位置するように置く。このような椅子にユーザがもたれかかると、健康クッション４の突出部４２ａ,４２ｂがユーザの脊髄あるいは大腿骨、脊髄のうち特に仙骨（臀）を押圧する。健康クッション４の突出部４２ａ，４２ｂのために、ユーザの身体に適度な緊張を与えて、ユーザの背筋及び脚部が伸びて、ストレッチ効果が発揮される。
【００３３】
また、健康クッション４は、図６に示すように、突出部４２ａを支点として両肩６４が後方にしなるようにユーザ６３を押圧する。ユーザ６３の左右の両肩には空間部６５,６６がそれぞれ形成されてストレッチ効果が発揮される。すなわち、ユーザ６３は身体が弓形状に湾曲して胸が開く状態になり、身体をリラックスさせることが可能となる。
【００３４】
本発明は上記実施の形態１，２に限定されず、種々変更して実施することが可能である。例えば、上記実施の形態１，２で挙げた数値や材料は一例であり、その機能を発揮することができる範囲で種々変更することができる。
【図面の簡単な説明】
【００３５】
【図１】本発明の実施の形態１に係る健康クッションを示す概略斜視図である。
【図２】図１に示す健康クッションの断面を示す図である。
【図３】本発明の実施の形態１に係る健康クッションを用いた場合を示す図である。
【図４】本発明の実施の形態２に係る健康クッションを示す平面図である。
【図５】図４のＶ−Ｖ線に沿う健康クッションの断面を示す図である。
【図６】本発明の実施の形態２に係る健康クッションを用いた場合を示す図である。
【符号の説明】
【００３６】
１，４，３２  健康クッション
１１，４１  クッション本体
１２，４２ａ，４２ｂ  突出部
２１，５１  ベース
２２，５５ａ，５５ｂ  プロテクタ
２３，５６  カバー
２４，５２  マット
２５，５３，５４  調整マット
３１  敷布団
３３，６３  ユーザ
３４  枕
３５，３６,  ６５,６６空間部
４１ａ  短径部
４１ｂ  長径部
４３  鋲
６４  両肩